(57)【要約】【課題】クリップの受け入れ部を、リブが挿入される開口部分を除いて密閉構造にし、取付け構造部分の防水性を確保する。【解決手段】装着部品が装着される基板側の取付け孔に挿入することで組み付けられる樹脂製のクリップ１０と、装着部品側に設けられ、クリップ１０の中空形状の受け入れ部１８に対して脱着可能に挿入されるリブ４２とからなる取付け構造であって、クリップ１０の受け入れ部１８内における相対向する二つの壁面２０には、リブ４２に係合可能な係合突起２２がそれぞれ設けられている。これらの係合突起２２は、互いにずれた位置に配置され、かつ両係合突起２２の突出量は、受け入れ部１８内の相対向する壁面２０間の距離のほぼ半分に設定されている。【選択図】    図２
2004239316.tif 000002
【特許請求の範囲】
【請求項１】
装着部品が装着される基板側の取付け孔に挿入することで組み付けられる樹脂製のクリップと、装着部品側に設けられ、クリップの中空形状の受け入れ部に対して脱着可能に挿入されるリブとからなる取付け構造であって、クリップの受け入れ部内における相対向する二つの壁面には、リブに係合可能な係合突起がそれぞれ設けられ、これらの係合突起は、互いにずれた位置に配置され、かつ両係合突起の突出量は、受け入れ部内の相対向する壁面間の距離のほぼ半分に設定されている取付け構造。
【請求項２】
請求項１に記載された取付け構造であって、クリップの両係合突起は、受け入れ部の幅方向に関して相互にずらせた位置に配置されている取付け構造。
【請求項３】
請求項１または２に記載された取付け構造であって、装着部品側のリブは、その厚みがクリップの受け入れ部内における相対向する壁面間の距離とほぼ同じ寸法に設定されているとともに、この厚み方向に貫通する係合孔を備え、この係合孔に対し、クリップの両係合突起が互いに反対方向から係合するように設定されている取付け構造。
【請求項４】
請求項３に記載された取付け構造であって、クリップの受け入れ部とリブとの間、およびクリップの係合突起とリブの係合孔との間には、それぞれの幅方向に関して所定のクリアランスが設けられている取付け構造。
【請求項５】
請求項１，２，３または４に記載された取付け構造であって、装着部品が樹脂製パネルであるとともに、リブは樹脂製パネルと一体に成形されており、このリブにおける樹脂製パネルとの境に近い基部には、欠肉部が形成されている取付け構造。
【発明の詳細な説明】
【０００１】
【発明の属する技術分野】
本発明は、車両用ボデーパネルなどの基板側に組み付けられるクリップと、装着部品側に設けられたリブとを利用した、脱着可能な取付け構造に関する。
【０００２】
【従来の技術】
この種の技術については、例えば特許文献１に開示されているクリップの構造が既に提案されている。この技術では、樹脂製のクリップがボデーパネルに形成された取付け孔に組み付けられ、このクリップの受け入れ部に装着部品側に形成されたリブが挿入される。受け入れ部の内部における相対向する壁面には、内方へ突出した係合突起がそれぞれ形成されている。一方、リブには両係合突起と係合可能な係合孔が形成されている。クリップの受け入れ部にリブを挿入することで、係合突起と係合孔とが係合する。また、クリップの受け入れ部からリブを強く引き抜くことで、係合突起と係合孔とが係合が外れる。これにより、ボデーパネルに対する装着部品の脱着が可能である。
【０００３】
【特許文献１】
特開２００１−３３００１６号公報
【０００４】
【発明が解決しようとする課題】
クリップは樹脂による一体成形品であり、その成形用の金型は、外形を成形するための型と、受け入れ部を成形するための抜き型とに大別される。そして、受け入れ部内には一対の係合突起があるため、抜き型を一方向へそのまま抜き取ることができない。その対策としては、抜き型を二分割にして係合突起の両側に振り分けた型構造とする手段、あるいは抜き型の抜き取り方向と直交する方向へスライドするスライド型を別に設ける手段がある。いずれの手段を採用した場合でも、抜き型の片方あるいはスライド型により、クリップの受け入れ部に、リブが挿入される開口部分の他に、その内外に通じる孔が成形される。この結果、クリップの防水性が確保できなくなり、ボデーパネルの両面間で防水性を必要とする場合には対応できない。
本発明は、従来の課題を解決しようとするもので、その目的は、クリップの受け入れ部を、リブが挿入される開口部分を除いて密閉構造にし、取付け構造部分の防水性を確保することである。
【０００５】
【課題を解決するための手段】
本発明は、上記の目的を達成するためのものである。
請求項１に記載の発明は、装着部品が装着される基板側の取付け孔に挿入することで組み付けられる樹脂製のクリップと、装着部品側に設けられ、クリップの中空形状の受け入れ部に対して脱着可能に挿入されるリブとからなる取付け構造であって、クリップの受け入れ部内における相対向する二つの壁面には、リブに係合可能な係合突起がそれぞれ設けられている。これらの係合突起は、互いにずれた位置に配置され、かつ両係合突起の突出量は、受け入れ部内の相対向する壁面間の距離のほぼ半分に設定されている。
この構成によれば、クリップの成形に際し、受け入れ部から抜き型を抜き取るとき、あるいは使用状態においてクリップの受け入れ部からリブを抜き取るとき、相対向する壁面の係合突起がある箇所を僅かに変形させるだけで、抜き型あるいはリブが両係合突起を乗り越えて抜き取られる。つまり、クリップの受け入れ部から抜き型あるいはリブを強制的に抜き取ること（いわゆる「無理抜き」）が可能となる。したがって、両係合突起を成形するためにスライド型などを採用した場合と異なり、受け入れ部に余計な孔が成形されるのを避けることができる。この結果、受け入れ部はリブが挿入される開口部分を除いて密閉構造となり、防水性が要求される箇所での対応が可能になる。また、使用状態においては、基板に対する装着部品の脱着を繰り返すことが可能となる。
【０００６】
請求項２に記載の発明は、請求項１に記載された取付け構造であって、クリップの両係合突起は、受け入れ部の幅方向に関して相互にずらせた位置に配置されている。
これにより、クリップの受け入れ部から抜き型あるいはリブが抜き取られるとき、これらが両係合突起をより通過し易くなる。
【０００７】
請求項３に記載の発明は、請求項１または２に記載された取付け構造であって、装着部品側のリブは、その厚みがクリップの受け入れ部内における相対向する壁面間の距離とほぼ同じ寸法に設定されているとともに、この厚み方向に貫通する係合孔を備えている。この係合孔に対し、クリップの両係合突起が互いに反対方向から係合するように設定されている。
この構成により、クリップの受け入れ部からリブを抜き取るための構成が簡素化される。なお、リブの係合孔については、クリップの係合突起に対応させて２個に分けてもよく、一つに連通させてもよい。
【０００８】
請求項４に記載の発明は、請求項３に記載された取付け構造であって、クリップの受け入れ部とリブとの間、およびクリップの係合突起とリブの係合孔との間には、それぞれの幅方向に関して所定のクリアランスが設けられている。
これにより、基板側に取り付けられたクリップと、装着部品側のリブとの幅方向の位置ずれを吸収できる。
【０００９】
請求項５に記載の発明は、請求項１，２，３または４に記載された取付け構造であって、装着部品が樹脂製パネルであるとともに、リブは樹脂製パネルと一体に成形されており、このリブにおける樹脂製パネルとの境に近い基部には、欠肉部が形成されている。
この欠肉部により、樹脂製パネルの表面にヒケが生じるのを防止できる。
【００１０】
【発明の実施の形態】
以下、本発明の実施の形態を説明する。
図１は、本発明の取付け構造に用いるクリップを表した平面図である。図２は、同じくクリップを表した底面図である。図３は、同じくクリップを表した正面図である。図４は、同じくクリップを表した側面図である。図５は、図１のＡ−Ａ矢視方向の断面図である。これらの図面で示すようにクリップ１０は、合成樹脂材による一体成形品である。そしてクリップ１０は、その平面形状が長方形をした中空形状の胴部１２と、その基部の周囲にわたって外方向に拡がる皿形状のスタビライザ１４とを備えている。
【００１１】
胴部１２は、後述するボデーパネル３０（基板）の取付け孔３２に挿入される部分である。また、胴部１２の内部は、後述する装着部品４０のリブ４２を挿入するための受け入れ部１８になっている。クリップ１０の底面には、受け入れ部１８の開口部分１８ａが位置している。この開口部分１８ａを除き、受け入れ部１８は密閉されている。胴部１２における先端側（図３〜５の上端側）の外面は、取付け孔３２に対する胴部１２の挿入を案内するテーパ面１２ａになっている。そして、受け入れ部１８における開口部分１８ａの周面は、この受け入れ部１８に対するリブ４２の挿入を案内するテーパ面１８ｂになっている。
【００１２】
胴部１２において、その平面形状で長辺となる両側部には、受け入れ部１８内に張り出した格好の凹部１２ｂがそれぞれ設けられている。これらの凹部１２ｂは、胴部１２の両測部に沿った方向（受け入れ部１８の幅方向）に関して相互にずらせて配置されている（図１，２）。両凹部１２ｂの外壁部には、胴部１２の基部寄りにおいて、爪１６がそれぞれ形成されている。これらの爪１６は、個々の外壁部とともに適度の弾性（可撓性）を有しており、凹部１２ｂの内外へ進退動作可能である。
【００１３】
受け入れ部１８において、その内方へ張り出している両凹部１２ｂの背面は、この受け入れ部１８の幅方向にずれた位置で、互いに対向する二つの壁面２０となっている。受け入れ部１８に挿入されたときのリブ４２は、両壁面２０間に位置する。したがって、リブ４２の厚みは、両壁面２０間の距離とほぼ同じ（僅かに小さい）寸法に設定されている。両壁面２０には、個々の箇所において受け入れ部１８の内方へ突出した係合突起２２がそれぞれ設けられている。つまり、両係合突起２２は、受け入れ部１８の幅方向に関して互いにずれた位置で突出している。
【００１４】
両係合突起２２の突出量は、相対向する二つの壁面２０間の距離（リブ４２の厚み）の半分を僅かに超える寸法に設定されている（図２，５）。また、両係合突起２２において、受け入れ部１８の開口部分１８ａに対向する側の挿入面２２ａと、受け入れ部１８の奥側の抜去面２２ｂはそれぞれ所定の傾斜角度に設定されている（図５）。ちなみに、挿入面２２ａと抜去面２２ｂとの壁面２０に対するそれぞれの角度（鋭角側）は、約２５°と約７０°とに設定されている。
【００１５】
図６は、装着部品４０のリブ４２を表した斜視図である。図７は、図６の縦断面図である。装着部品４０は、例えば車両のハッチバック開口部におけるウエザストリップに沿って装飾用に取り付けられる樹脂製パネル（トルフカバー）であり、リブ４２は樹脂製パネル裏面の複数箇所に設けられた一体成形品である。リブ４２は、その厚み方向に貫通する二つの係合孔４４を備えている。クリップ１０の受け入れ部１８にリブ４２が挿入されたとき、両係合孔４４に対し、個々に対応する係合突起２２が互いに反対方向から係合する。また、リブ４２の先端側はテーパ面４２ａになっているとともに、リブ４２の両側には補強部４２ｂが一体に成形されている。さらに、リブ４２には、装着部品４０との境に近い基部において欠肉部４２ｃが形成されている（図７）。この欠肉部４２ｃにより、成形時において装着部品４０の表面側にヒケが生じるのを防止できる。
【００１６】
図８は、車両のボデーパネル３０（基板）に対する装着部品４０（装着部品）の取付け構造を表した断面図である。そこで、作業の手順を主として図８を参照しながら説明する。
まず、図８で示すボデーパネル３０の取付け孔３２に、クリップ１０の胴部１２を挿入する。この挿入に伴い、胴部１２の外側にある両爪１６が、個々の弾性（可撓性）によって取付け孔３２を通過し、ボデーパネル３０の内側面に係合する。これにより、クリップ１０がボデーパネル３０側に組み付けられ、その状態に保持される。この状態において、スタビライザ１４の周縁部分が、その弾性によってボデーパネル３０の外側面に接触している。これにより、ボデーパネル３０に対するクリップ１０の組み付け状態が安定する。
【００１７】
つぎに、装着部品４０のリブ４２を、クリップ１０の受け入れ部１８に対して、その開口部分１８ａ側から挿入する。この挿入に伴い、リブ４２のテーパ面４２ａが両係合突起２２の挿入面２２ａに沿って進行する。これにより、両壁面２０を外方へ撓ませながら、これらの壁面２０間にリブ４２が入り込む。この結果、リブ４２の係合孔４４に両係合突起２２が係合する。この係合によってクリップ１０とリブ４２とが結合状態に保持され、結果としてボデーパネル３０に対する装着部品４０の装着状態が保持される。
【００１８】
受け入れ部１８にリブ４２が挿入された状態において、リブ４２の補強部４２ｂと受け入れ部１８の内面との間、および両係合突起２２と係合孔４４との間には、図２で示すクリアランスＳがある。このクリアランスＳの範囲において、クリップ１０（つまり、ボデーパネル３０の取付け孔３２）と装着部品４０のリブ４２との幅方向の位置ずれを吸収できる。
【００１９】
ボデーパネル３０から装着部品４０を取り外す場合には、この装着部品４０を強く引っ張る。これにより、リブ４２における係合孔４４の縁が両係合突起２２の抜去面２２ｂに接触し、壁面２０を外方へ撓ませながら移動する。これによって係合孔４４が係合突起２２を通過し、受け入れ部１８からリブ４２が抜き取られる。この結果、クリップ１０をボデーパネル３０側に残したまま、装着部品４０を取り外すことができる。そして、両係合突起２２が互いにずれた位置に配置されていることと、個々の突出量が壁面２０間の距離のほぼ半分に設定されていることとにより、リブ４２は壁面２０を僅かに撓ませるだけで強制的に抜き取られる。
【００２０】
このことは、クリップ１０の成形時においても、両壁面２０を僅かに変形させるだけで、受け入れ部１８から型を強制的に抜き取る、いわゆる「無理抜き」が可能となる。従前のように、クリップの成形にスライド型などを採用した場合においては、スライド用の孔がクリップの胴部に残る。これに対し、本実施の形態におけるクリップ１０の受け入れ部１８は、その開口部分１８ａを除いて密閉構造となる。したがて、クリップ１０の防水機能が高く、ボデーパネル３０の両側間で防水性が要求される場合に最適である。
【図面の簡単な説明】
【図１】クリップを表した平面図
【図２】クリップを表した底面図
【図３】クリップを表した正面図
【図４】クリップを表した側面図
【図５】図１のＡ−Ａ矢視方向の断面図
【図６】装着部品のリブを表した斜視図
【図７】図６の縦断面図
【図８】ボデーパネルに対する装着部品の取付け構造を表した断面図
【符号の説明】
１０    クリップ
１８    受け入れ部
２０    壁面
２２    係合突起
３０    ボデーパネル（基板）
３２    取付け孔
４０    装着部品
４２    リブ
４４    係合孔
【図１】
2004239316.tif 000003
【図２】
2004239316.tif 000004
【図３】
2004239316.tif 000005
【図４】
2004239316.tif 000006
【図５】
2004239316.tif 000007
【図６】
2004239316.tif 000008
【図７】
2004239316.tif 000009
【図８】
2004239316.tif 000010